(57)【要約】【課題】電源線が引出されたケーブル保護管の上部引出口に容易に異物侵入防止手段を施すことができ、かつ、ケーブル保護管の収納空間を減少させることができる照明器具および照明器具の設置方法を提供する。【解決手段】照明器具１０は、地中１１に埋設される下ポール２１の上に上ポール２２を接続し、上ポール２２の所定部位に灯具２３を取り付けて構成される。地中１１に埋設されたケーブル保護管２４は、下ポール２１の下部導入口２１２から内部に導入され、上方へ導かれるが、下ポール２１の長さが、電源線２５が引出されるケーブル保護管２４の上部引出口２４１に、下ポール２１の上部開口２１３から異物侵入防止手段２６を施すことができる長さとなっているので、容易かつ確実に異物侵入防止手段２６を施すことができる。また、下ポール２１の上に上ポール２２を接続するので、ケーブル保護管２４の収納空間を設けることなく、電源線２５や結線部２７を収納することができる。【選択図】図１
2010277710.tif 000002
【特許請求の範囲】
【請求項１】
地中に埋設される筒状の下ポールと、
前記下ポールの上端に接続される筒状の上ポールと、
前記上ポールの所定部位に取付けられる灯具と、を備え、
前記下ポールは、電源線を収容して地中に埋設されたケーブル保護管を下部導入口から内部に導入して上方へ導くものであり、
前記下ポールの長さが、前記電源線が引出される前記ケーブル保護管の上部引出口に当該下ポールの上部開口から異物侵入防止手段を施すことができる長さであることを特徴とする照明器具。
【請求項２】
筒状の下ポールを地中に埋設し、
電源線を収容して地中に埋設されたケーブル保護管を、前記下ポールの下部導入口から内部に導入するとともに当該下ポールの上部開口近傍まで配管し、
前記ケーブル保護管の上部引出口から引出された前記電源線を前記上部開口から引出し、
前記上部引出口に異物侵入防止手段を施した後に、
前記下ポールの上端に上ポールを取付けるとともに前記電源線を当該上ポールの上端部から引出し、
前記電源線と灯具を結線した後、前記電源線および結線部を前記上ポールに収容して、前記灯具を前記上ポールの所定部位に取付けることを特徴とする照明器具の設置方法。
【発明の詳細な説明】
【技術分野】
【０００１】
本発明は、灯具を支持する支持部材を地中に埋設して使用する照明器具および照明器具の設置方法に関するものである。
【背景技術】
【０００２】
従来より、灯具を支持する支持部材を地中に埋設して使用する照明器具が知られている（例えば特許文献１参照）。
図７に示すように、特許文献１に記載の照明器具１００は、下部１０１が地中Ｇに埋設支持されるパイプ１０２を有しており、地面より上方に通気孔１０３が設けられている。パイプ１０２の上部には、ランプユニット１０４を収容する器具本体１０５が取付けられ、ランプユニット１０４を器具本体１０５と共に覆うようにカバーユニット１０６が取付けられる。パイプ１０２とカバーユニット１０６との突合せ部分には、略全周に亘って延びるスリットＳが形成されており、器具本体１０５には、スリットＳと通気孔１０３とを連通させる通路１０７が設けられている。
【０００３】
パイプ１０２の下部には開口を有しており、地中Ｇに配策されている電源線１０８が開口からパイプ１０２の内部に引き込まれている。電源線１０８の上端部は、器具本体１０５に取付けられているランプユニット１０４に電気的に接続されており、これによってランプユニット１０４が点灯可能となっている。
【０００４】
これにより、いずれの方向から吹く風も、略全周に亘って延びるスリットＳの風上に対応する部分から風下に対応する部分へとスリットＳ内を滑らかに吹き抜けるようになるので、風向きによってパイプ内の湿気の排出効率が大きく低下するのを防止できるようになっている。
【先行技術文献】
【特許文献】
【０００５】
【特許文献１】特開２００９−０９９０２号公報（第２図）
【発明の概要】
【発明が解決しようとする課題】
【０００６】
ところで、電源線がケーブル保護管に収容されて地中を配策されている場合には、ケーブル保護管を地中に埋設されたパイプの下部穴から導入し、地表面よりもやや上の位置まで配管して切断し、電源線をケーブル保護管から引出して所定の長さに切断して灯具と結線するのが一般的である。そして、電源線の余長部分および結線部をパイプ内に押し込んで、灯具をパイプの上端部に取り付ける。
【０００７】
しかしながら、高さが高いパイプでは、パイプの上部開口から電源線が導出されるケーブル保護管の上部引出口に手が届かないため、異物侵入防止手段を施すことができず、ケーブル保護管内部に異物が侵入するおそれがある。このため、ケーブル保護管をパイプの上部開口まで配管して、上部引出口に異物侵入防止手段を施すことが行われている。
これに伴い、異物侵入防止手段を施した後に、ケーブル保護管、電源線、結線部等をパイプの上部に押し込むため、パイプ上部に収納空間が必要となり、器具のコンパクト化を妨げるという問題があった。
【０００８】
本発明は、従来の問題を解決するためになされたもので、電源線が引出されたケーブル保護管の上部引出口に容易に異物侵入防止手段を施すことができ、かつ、ケーブル保護管の収納空間を別途設ける必要がない照明器具および照明器具の設置方法を提供することを目的とする。
【課題を解決するための手段】
【０００９】
本発明の照明器具は、地中に埋設される筒状の下ポールと、前記下ポールの上端に接続される筒状の上ポールと、前記上ポールの所定部位に取付けられる灯具と、を備え、前記下ポールは、電源線を収容して地中に埋設されたケーブル保護管を下部導入口から内部に導入して上方へ導くものであり、前記下ポールの長さが、前記電源線が引出される前記ケーブル保護管の上部引出口に当該下ポールの上部開口から異物侵入防止手段を施すことができる長さである構成を有している。
【００１０】
この構成により、照明器具は、地中に埋設される下ポールの上に上ポールを接続し、上ポールの所定部位に灯具を取り付けて構成される。地中に埋設されたケーブル保護管は、下ポールの下部導入口から内部に導入され、上方へ導かれるが、下ポールの長さが、下ポールの上部開口から、電源線が引出されるケーブル保護管の上部引出口に、異物侵入防止手段を施すことができる長さとなっているので、容易かつ確実に異物侵入防止手段を施すことができる。また、下ポールの上に上ポールを接続するので、ケーブル保護管の収納空間を別途設けることなく、電源線や結線部を収納することができる。
【００１１】
また、本発明の照明器具の設置方法は、筒状の下ポールを地中に埋設し、電源線を収容して地中に埋設されたケーブル保護管を、前記下ポールの下部導入口から内部に導入するとともに当該下ポールの上部開口近傍まで配管し、前記ケーブル保護管の上部引出口から引出された前記電源線を前記上部開口から引出し、前記上部引出口に異物侵入防止手段を施した後に、前記下ポールの上端に上ポールを取付けるとともに前記電源線を当該上ポールの上端部から引出し、前記電源線と灯具を結線した後、前記電源線および結線部を前記上ポールに収容して、前記灯具を前記上ポールの所定部位に取付ける構成を有している。
【００１２】
この構成により、下ポールを地中に埋設し、地中に埋設されたケーブル保護管を下ポールの下部導入口から内部に導入するとともに下ポールの上部開口近傍まで配管し、ケーブル保護管の上部引出口から引出された電源線を上部開口から引出して上部引出口に異物侵入防止手段を施すので、容易かつ確実に異物侵入防止手段を施すことができる。また、その後、下ポールの上に上ポールを接続し、電源線と灯具を結線した後、灯具を上ポールの所定部位に取付け、電源線の余長部分や結線部を上ポールの内部に収容するので、ケーブル保護管の収納空間を設けることなく、収納することができる。
【発明の効果】
【００１３】
本発明は、地中に埋設されたケーブル保護管は、下ポールの下部導入口から内部に導入され、上方へ導かれるが、下ポールの長さが、下ポールの上部開口から、電源線が引出されるケーブル保護管の上部引出口に、異物侵入防止手段を施すことができる長さとなっているので、容易かつ確実に異物侵入防止手段を施すことができる。また、下ポールの上に上ポールを接続するので、ケーブル保護管の収納空間を設けることなく、電源線や結線部を収納することができるという効果を有する照明器具および照明器具の設置方法を提供できる。
【図面の簡単な説明】
【００１４】
【図１】本発明に係る実施形態の照明器具の全体図
【図２】本発明に係る実施形態の照明器具の分解図
【図３】本発明に係る実施形態の照明器具の設置方法の一工程であり、下ポールを埋設する工程を示す正面図
【図４】電源線を引出してシール材を施す工程を示す正面図
【図５】上ポールを取り付ける工程を示す正面図
【図６】電源線を結線して灯具を取り付ける工程を示す正面図
【図７】灯具を支持する支持部材を地中に埋設して使用する従来の照明器具の断面図
【発明を実施するための形態】
【００１５】
以下、本発明に係る実施形態の照明器具について、図面を用いて説明する。
図１および図２に示すように、本発明に係る実施形態の照明器具１０は、地中１１に埋設される筒状の下ポール２１と、下ポール２１の上端に接続される筒状の上ポール２２と、上ポール２２の所定部位である上端に取付けられる灯具２３と、を備えている。
【００１６】
下ポール２１は、例えば円形や多角形等の断面を有する筒状部材であり、下部には下ポール２１の転倒を防止して安定を図る複数本のアンカー２１１が放射状に設けられている。アンカー２１１は、丸鋼や幅細の板状部材等で形成することができる。下ポール２１の中央部には下部導入口２１２が設けられており、この下部導入口２１２から、地中１１に配管されているケーブル保護管２４が下ポール２１の内部に導入される。
【００１７】
ケーブル保護管２４は、内部に電源線２５（図４参照）を収納している。従って、複数個の照明器具１０を、例えば歩道に設ける街路灯のように次々に配置する場合には、電力を供給する電源線２５と、次の照明器具１０に電力を供給する電源線２５ａ（以後、特に次の照明器具に電力を供給する場合「電源線２５ａ」で示す。）が配線されることになる。このため、図１および図２に示すように、下ポール２１に入るケーブル保護管２４と、下ポール２１から出るケーブル保護管２４ａ（以後、特に次の照明器具に電力を供給する場合「ケーブル保護管２４ａ」で示す。）が設けられる。
【００１８】
図４に示すように、下ポール２１に導入されたケーブル保護管２４は上方へ導かれ、ケーブル保護管２４の上部引出口２４１から電源線２５が引出される。下ポール２１の長さは、電源線２５が引出されるケーブル保護管２４の上部引出口２４１に下ポール２１の上部開口２１３から異物侵入防止手段である例えばシール材２６を施すことができる長さとなっている。ここでは、下ポール２１の上部開口２１３までケーブル保護管２４を配管しているので、シール材２６は下ポール２１の上部開口２１３に位置する。
なお、図５に示すように、下ポール２１の上端部内面には、上方へ突出する当て板２１４が全周にわたって溶接により隙間なく設けられており、当て板２１４の突出部分にはネジ穴２１５が設けられている。
【００１９】
図５に示すように、上ポール２２は、下ポール２１と同一の断面形状をしており、下ポール２１から上方へ突出する当て板２１４に外嵌して、複数個のネジ２２１により固定する。このとき、地中１１から水分が浸入しないように、密閉状態で固定するのが望ましい。上ポール２２は、ケーブル保護管２４の上部引出口２４１から引出された電源線２５を上方へ導き、上ポール２２の上部開口２２２から引出す。
【００２０】
図６に示すように、上ポール２２の所定部位である例えば上端には、内部に光源や点灯装置等（図示省略）を有する灯具２３が取り付けられる。灯具２３の下面には、灯具２３に電力を供給するとともに、次の照明器具１０に電力を供給すべく、結線部２７が設けられている。
【００２１】
次に、本発明に係る実施形態の照明器具の設置方法について説明する。
まず、図３に示すように、下ポール２１を埋設するために掘った地中１１に、下ポール２１を鉛直に据える。このとき、下ポール２１のアンカー２１１を、コンクリート（図示省略）で固定することもできる。
【００２２】
次いで、図４に示すように、地中１１に埋設されているケーブル保護管２４を下ポール２１の下部導入口２１２から内部に導入するとともに下ポール２１の上部開口２１３近傍まで配管して、下ポール２１を埋設する。ケーブル保護管２４の上部引出口２４１から電源線２５を所定長さ引き出し、上部引出口２４１にシール材２６を施して、上部引出口２４１からケーブル保護管２４の内部に異物が侵入しないようにする。
【００２３】
図５に示すように、上ポール２２の下部開口２２３から電源線２５を挿入して上部開口２２２から引き出し、上ポール２２の下部開口２２３を下ポール２１の上部開口２１３に設けられている当て板２１４に外嵌して、ネジ２２１で固定する。
【００２４】
図６に示すように、灯具２３に電源線２５を接続し、結線部２７および電源線２５の余長部分を上ポール２２に収納して、灯具２３を上ポール２２の上端にネジ等により取り付ける。その後、所定の地表面ＧＬまで埋め戻す。なお、埋め戻しは、灯具２３を取り付ける前に行うことも可能である。
【００２５】
以上、説明した本発明に係る実施形態の照明器具１０は、地中１１に埋設される下ポール２１の上に上ポール２２を接続し、上ポール２２の上部に灯具２３を取り付けて構成される。このとき、地中１１に埋設されたケーブル保護管２４は、下ポール２１の下部導入口２１２から内部に導入され、上方へ導かれるが、下ポール２１の長さが、下ポール２１の上部開口２１３から、ケーブル保護管２４の上部引出口２４１にシール材２６を施すことができる長さ（ここでは上部開口２１３位置）となっているので、容易かつ確実にシール材２６を施すことができる。
また、下ポール２１の上に上ポール２２を接続するので、収納空間を別途設けることなく、ケーブル保護管２４や電源線２５の余長部分や結線部２７を収納することができる。
【００２６】
また、本発明に係る実施形態の照明器具の設置方法によれば、下ポール２１を地中１１に埋設し、地中１１に埋設されたケーブル保護管２４を下ポール２１の下部導入口２１２から内部に導入するとともに下ポール２１の上部開口２１３近傍まで配管し、ケーブル保護管２４の上部引出口２４１から引出された電源線２５を上部開口２１３から引出して上部引出口２４１にシール材２６を施すので、容易かつ確実にシール材２６を施すことができる。
また、その後、下ポール２１の上に上ポール２２を接続し、電源線２５と灯具２３を結線した後、灯具２３を上ポール２２の上部に取付けるので、収納空間を設けることなくケーブル保護管２４や電源線２５の余長部分や結線部２７を収納することができる。
【００２７】
なお、本発明の照明器具は、前述した実施形態に限定されるものでなく、適宜な変形，改良等が可能である。
例えば、前述した実施形態においては、下ポール２１を完全に地中１１に埋設する場合について説明したが、下ポール２１の上部を地表面ＧＬから突出するように一部埋設することもできる。
【００２８】
また、前述した実施形態においては、多数の照明器具１０が配列された途中部分に設けられる照明器具について説明したが、終端の照明器具においても同様に適用できる。この場合は、ケーブル保護管２４を一方側からのみ設けることもできる。
【符号の説明】
【００２９】
１０  照明器具
１１  地中
２１  下ポール
２１２  下部導入口
２１３  上部開口
２２  上ポール
２３  灯具
２４  ケーブル保護管
２４１  上部引出口
２５  電源線
２６  シール材（異物侵入防止手段）
２７  結線部
【図１】
2010277710.tif 000003
【図２】
2010277710.tif 000004
【図３】
2010277710.tif 000005
【図４】
2010277710.tif 000006
【図５】
2010277710.tif 000007
【図６】
2010277710.tif 000008
【図７】
2010277710.tif 000009